【手続補正書】
【提出日】平成19年2月16日(2007.2.16)
【手続補正１】
【補正対象書類名】特許請求の範囲
【補正対象項目名】全文
【補正方法】変更
【補正の内容】
【特許請求の範囲】
【請求項１】
下記を具備する、通信システムにおいて、送信された信号を推定するための方法：
通信信号を受信する；
遅延−電力解析器を用いて前記通信信号を解析する；
前記遅延−電力解析器から得られた情報から遅延拡散を推定する；
前記推定された遅延拡散に基づいて、新しいイコライザーフィルター長を決定する；および
前記新しいイコライザーフィルター長を使用するためにイコライザーを構成する。
【請求項２】
前記イコライザーは、最大長および使用された長さを有するフィルターを具備し、前記使用された長さは、前記最大長以下であり、前記イコライザーは、前記使用された長さを前記新しいイコライザーフィルター長に設定することにより前記新しいイコライザーフィルター長を使用するように構成される、請求項１に記載の方法。
【請求項３】
前記通信信号は、無線通信信号を具備する、請求項１に記載の方法。
【請求項４】
前記遅延−電力解析器は、少なくとも２つの受信されたマルチパス信号コンポーネントのエネルギーを計算する、請求項１に記載の方法。
【請求項５】
前記遅延−電力解析器は、少なくとも２つの受信されたマルチパス信号コンポーネントの遅延を計算する、請求項１に記載の方法。
【請求項６】
前記遅延−電力解析器は、少なくとも２つの受信されたマルチパス信号コンポーネントの信号対雑音比を計算する、請求項１に記載の方法。
【請求項７】
前記イコライザーは適応イコライザーである、請求項１に記載の方法。
【請求項８】
前記使用された長さと前記新しいイコライザーフィルター長との間の差分を計算することをさらに具備し、前記イコライザーは、前記差分が閾値を通過するなら、前記新しいイコライザーフィルター長を使用するように構成される、請求項２に記載の方法。
【請求項９】
前記方法は移動局により実施される、請求項１に記載の方法。
【請求項１０】
前記方法は基地局により実施される請求項１に記載の方法。
【請求項１１】
前記方法は、パイロットシンボル間隔ごとに一度使用され前記新しいイコライザーフィルター長を決定する、請求項１に記載の方法。
【請求項１２】
前記方法は、Ｎ番目のパイロットシンボル間隔ごとに一度使用され、前記新しいイコライザーフィルター長を決定する、但しＮは任意の正の整数である、請求項１に記載の方法。
【請求項１３】
前記方法は、パイロットシンボル間隔ごとにＮ回使用され前記新しいイコライザーフィルター長を決定する、但しＮは任意の正の整数である、請求項１に記載の方法。
【請求項１４】
下記を具備する、移動局が送信された信号を推定する、無線通信システムにおいて使用する移動局：
無線信号を受信するための少なくとも１つのアンテナ；
前記少なくとも１つのアンテナと電子通信する受信機；
前記送信された信号を推定するためのイコライザーで下記を具備するイコライザー：
複数のタップ；
タップの合計数を定義する最大長；
および
使用されているタップの数を定義する使用された長さ、前記使用された長さは適応的である。
【請求項１５】
前記使用された長さは、下記を具備する方法の使用を介して適応的である、請求項１４に記載の移動局：
遅延−電力解析器から得られた情報から遅延拡散を推定する；および
遅延拡散に基づいて新しいイコライザーフィルター長を決定する。
【請求項１６】
前記使用された長さは、前記最大長以下であり、前記イコライザーは、前記使用された長さを前記新しいイコライザーフィルター長に設定することにより前記新しいイコライザーフィルター長を構成する、請求項１５に記載の移動局。
【請求項１７】
前記情報はエネルギーベースの情報を具備する、請求項１５に記載の移動局。
【請求項１８】
前記情報は、タイミングベースの情報を具備する、請求項１５に記載の移動局。
【請求項１９】
前記情報は信号対雑音比ベースの情報を具備する、請求項１５に記載の移動局。
【請求項２０】
前記イコライザーは、適応イコライザーである、請求項１５に記載の移動局。
【請求項２１】
前記方法は、さらに、前記使用された長さと前記新しいイコライザーフィルター長との間の差分を計算することを具備し、前記イコライザーは、前記差分が閾値を通過するなら前記新しいイコライザーフィルター長を使用するように構成される、請求項１５に記載の移動局。
【請求項２２】
下記を具備する、装置が送信された信号を推定する無線通信システムに使用する装置：
無線信号を受信するための少なくとも１つのアンテナ；
前記少なくとも１つのアンテナと電子通信する受信機；
前記送信された信号を推定するためのイコライザーで下記を具備するイコライザー：
複数のタップ；
タップの合計数を定義する最大長；および
使用されているタップの数を定義する使用された長さ、前記使用された長さは適応的である。
【請求項２３】
前記使用された長さは、下記を具備する方法の使用を介して適応的である、請求項１４に記載の移動局：
遅延−電力解析器から得られた情報から遅延拡散を推定する；および
遅延拡散に基づいて新しいイコライザーフィルター長を決定する。
【請求項２４】
前記使用された長さは、前記最大長以下であり、前記イコライザーは、前記使用された長さを前記新しいイコライザーフィルター長に設定することにより前記新しいイコライザーフィルター長を構成する、請求項２３に記載の移動局。
【請求項２５】
前記情報はエネルギーベースの情報を具備する、請求項２３に記載の移動局。
【請求項２６】
前記情報は、タイミングベースの情報を具備する、請求項２３に記載の移動局。
【請求項２７】
前記情報は信号対雑音比ベースの情報を具備する、請求項２３に記載の移動局。
【請求項２８】
前記イコライザーは、適応イコライザーである、請求項２３に記載の移動局。
【請求項２９】
前記方法は、さらに、前記使用された長さと前記新しいイコライザーフィルター長との間の差分を計算することを具備し、前記イコライザーは、前記差分が閾値を通過するなら前記新しいイコライザーフィルター長を使用するように構成される、請求項２３に記載の移動局。
【請求項３０】
前記装置は移動局を具備する、請求項２３に記載の装置。
【請求項３１】
前記装置は基地局を具備する、請求項２３に記載の装置。
【請求項３２】
下記を具備する、移動局が送信された信号を推定する、無線通信システムに使用する移動局：
第１の無線信号を受信する手段；
前記送信された信号を推定する手段、前記推定する手段は下記を具備する：
複数のタップ；
タップの合計数を定義する最大長；および
使用されているタップの数を定義する使用された長さ、前記使用された長さは適応的である。
【請求項３３】
さらに下記を具備する、請求項３２に記載の移動局：
遅延拡散を推定する手段；および
前記遅延拡散に基づいて新しいイコライザーフィルター長を決定する手段。
【請求項３４】
前記使用された長さは、前記最大長以下であり、前記推定手段は、前記使用された長さを前記新しいイコライザーフィルター長に設定することにより前記新しいイコライザーを使用するように構成される、請求項３３に記載の移動局。
【請求項３５】
前記遅延拡散推定手段は、エネルギーに基づく、請求項３３に記載の移動局。
【請求項３６】
前記遅延拡散推定手段は、タイミングに基づく、請求項３３に記載の移動局。
【請求項３７】
前記遅延拡散推定手段は、信号対雑音比にもとづく、請求項３３に記載の移動局。
【手続補正２】
【補正対象書類名】明細書
【補正対象項目名】００７９
【補正方法】変更
【補正の内容】
【００７９】
イコライザー設定調節器８１６の実施形態は、種々の設計および実施に使用してもよい。例えば、図１１は、イコライザー適応コンポーネント１１２２を含む無線信号１１０１の受信を図示する機能ブロック図である。イコライザー適応コンポーネント１１２２は、この譲受人に譲渡され、参照することにより明白に組み込まれる、２００３年２月１８日に出願した米国出願番号１０／３６８，８９１を有する、デュルガ・マラディ、ジョセフ・ブランツ、およびヨンビン・ウエイによる「チャネル推定を使用する適応イコライザーを有する通信受信機」(Communication Receiver with an Adaptive Equalizer That Uses Channel Estimation)というタイトルの特許出願に開示されている。
【手続補正３】
【補正対象書類名】明細書
【補正対象項目名】００８０
【補正方法】変更
【補正の内容】
【００８０】
イコライザー設定調節器１１２４の一実施形態は、イコライザー適応コンポーネント１１２２内に組み込んで、使用されるイコライザータップ１１１１の数を調節してもよい。イコライザー適応コンポーネント１１２２は遅延−電力解析器を含む。遅延−電力解析器は、図９の遅延電力解析器９０２として使用し、遅延拡散９０６を得てもよい。ここに示されるように、イコライザー設定調節器１１２４の動作は、ここに開示されたように動作してもよい。図１１のコンポーネントの残りは図８のコンポーネントに相当しおよび／または上で参照したアプリケーションにおいて開示される。図示するようにイコライザー出力１１１２は、図８のブロック８１４における場合のように、さらなる処理のために提供されてもよい。一例において、受信された信号が符号分割多重（ＣＤＭ）信号なら図８のブロック８１４における場合のように、さらなる処理はＰＢデスクランブリング１１１４、逆拡散１１１６、およびデコーディング１１２０を含んでいてもよい。トラヒックチャネルは逆拡散コンポーネント１１１６からの出力１１１８であってもよく、次に逆拡散コンポーネント１１１６はデコーディングコンポーネント１１２０によりデコードされる。
【手続補正４】
【補正対象書類名】明細書
【補正対象項目名】００８１
【補正方法】変更
【補正の内容】
【００８１】
種々の設計および実施において使用されているイコライザー設定調節器のさらなる一例として、図１２は、イコライザー１２１０のための適応アルゴリズムを含む無線信号８０１の受信を図示する機能ブロック図である。このシステムは、この譲受人に譲渡され、参照することにより、ここに明白に組み込まれた、２００３年２月１８日に出願された、米国出願番号１０／３６８，９２０を有する、デュルガ・マラディ、ジョセフ・ブランツ、およびヨンビン・ウエイによる「適応イコライザーを有する通信受信機」(Communication Receiver with an _Adaptive Equalizer)というタイトルの特許出願に開示されている。
【手続補正５】
【補正対象書類名】明細書
【補正対象項目名】００８２
【補正方法】変更
【補正の内容】
【００８２】
イコライザー設定調節器１２３０のさらなる実施形態は、適応アルゴリズム１２２２を有した上述したシステムと組み合わせて使用し、使用されるイコライザータップ１２１１の数を調節してもよい。イコライザー設定調節器１２３０は、使用されるタップの数を調節するためにここに開示するように動作してもよい。イコライザー設定調節器１２３０は、その出力をイコライザー１２１０に供給し、および／または適応アルゴリズム１２２２に供給し、イコライザー１２１０フィルターにより使用されるタップ１２１１の数を設定してもよい。図１２の残りのコンポーネントは図８のコンポーネントに相当し、および／または上で参照したアプリケーションにおいて開示される。例えば、受信機１２０２はアンテナ１２０４の使用を介して無線信号１２０１を受信してもよい。受信された信号は送信されたパイロットチャネルおよび他のチャネルのひずんだバージョンを含んでいてもよい。受信された信号はベースバンドに変換され整合フィルター１２０６に供給され、送信機内のベースバンドフィルターのインパルス応答に整合される。
【手続補正６】
【補正対象書類名】明細書
【補正対象項目名】００８６
【補正方法】変更
【補正の内容】
【００８６】
一旦新しい使用された長さ９１０が計算された１３０６ならば、次に、ステップ１３０８において無用のタップ８１１は０にセットしてもよいし、または非アクティブな（使用されずに）ものとして設定してもよい。次に、新しい使用された長さ９１０はイコライザー８１０に供給してもよい。
【手続補正７】
【補正対象書類名】明細書
【補正対象項目名】００８９
【補正方法】変更
【補正の内容】
【００８９】
閾値はイコライザー長さが更新されるかどうか決めるために使用されてもよい。図１４は、フィルター長さを更新するために閾値を使用してイコライザーフィルター長を適応可変するための方法１４００のフロー図である。図１４の方法は、最小数のタップを変更するときのみイコライザー長を更新することが望ましいときに使用してもよい。図１４の方法は、閾値に関係のあるさらなるステップを除いて図１３のそれに類似する。例えば、ステップ１４０２において、図９の解析器９０２のような遅延電力解析器を用いて遅延電力解析を行ってもよい。次に、ステップ１４０４において、遅延電力解析器９０２により得られた情報から遅延拡散が推定される。新しい使用された長さ９１０が計算された１４０６後、この方法は使用された長さ８１５と新しく使用される長さ９１０との間の差分を計算し１４０７、フィルターサイズ更新閾値（図示せず)と比較する１４０９。それが閾値を越える場合、この方法は、図示するように、ステップ１４０８および１４１０を続けるかもしれない。それが閾値を越えない場合、イコライザー調節器シーケンスは終了し１４１１、長さは更新されない。
【手続補正８】
【補正対象書類名】図面
【補正対象項目名】図８
【補正方法】変更
【補正の内容】
【図８】
2006518164.tif 000001